【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
作業領域内に配置された加工対象物の加工対象面に対して、レーザ光を照射して、所望の加工パターンに加工可能なレーザ加工装置であって、
レーザ光を発生させるためのレーザ発振部と、
前記レーザ発振部より出射されるレーザ光を作業領域内において走査させるためのレーザ光走査系として、
前記レーザ発振部から照射されるレーザ光の光軸上に配置されるレンズを光軸に沿って移動させることにより、レーザ光の焦点距離を調整可能なビームエキスパンダと、
前記ビームエキスパンダを透過したレーザ光を第１の方向に走査させるための第１のスキャナと、
前記第１のスキャナで走査されるレーザ光を前記第１の方向と略直交する第２の方向に走査させるための第２のスキャナと、
を備えるレーザ光走査系と、
前記レーザ発振部および前記レーザ光走査系を制御するためのレーザ制御部と、
所望の加工パターンに加工する加工条件として、加工対象面の３次元形状と加工パターンとを設定するための加工条件設定部と、
前記加工条件設定部で設定された加工条件に従って、加工対象面のレーザ加工データを生成する加工データ生成部と、
前記加工データ生成部で生成されたレーザ加工データのイメージを２次元的に表示可能な加工イメージ表示部と、
を備え、
作業領域内に配置された加工対象物の加工対象面を前記加工イメージ表示部で２次元的に表示させた状態で、前記加工条件設定部から加工対象面の３次元形状及び加工パターンを設定可能に構成してなることを特徴とするレーザ加工装置。
【請求項２】
請求項１に記載のレーザ加工装置であって、
前記加工イメージ表示部で２次元的に表示させた作業領域内の加工対象面を、３次元的な表示に切り替え可能に構成してなることを特徴とするレーザ加工装置。
【請求項３】
請求項１又は２に記載のレーザ加工装置であって、
前記加工イメージ表示部で作業領域内の加工対象面を２次元的に表示させた状態で、同時に作業領域内の加工対象面の３次元表示画面を表示可能に構成してなることを特徴とするレーザ加工装置。
【請求項４】
請求項１から３のいずれか一に記載のレーザ加工装置であって、
前記加工イメージ表示部で作業領域内の加工対象面を２次元的に表示させる際、レーザ光の照射方向における平面図を表示するよう構成してなることを特徴とするレーザ加工装置。
【請求項５】
請求項１から４のいずれか一に記載のレーザ加工装置であって、さらに、
前記加工イメージ表示部で作業領域内の加工対象面を３次元的に表示させる際、視点をＸＹ平面、ＹＺ平面、又はＺＸ平面の少なくともいずれかから見た正面図に切り替え可能な表示位置変更手段を備えることを特徴とするレーザ加工装置。
【請求項６】
請求項１から５のいずれか一に記載のレーザ加工装置であって、
３次元レーザ加工データの編集が可能な３次元編集モードと、
３次元レーザ加工データの編集ができず、２次元のレーザ加工データの編集が可能な２次元編集モードと、
を備えており、
編集モード切替手段によって２次元編集モードと３次元編集モードとを切り替え可能に構成してなることを特徴とするレーザ加工装置。
【請求項７】
請求項６に記載のレーザ加工装置であって、
レーザ加工装置の起動時は２次元編集モードがデフォルトで設定されてなることを特徴とするレーザ加工装置。
【請求項８】
請求項１から７のいずれか一に記載のレーザ加工装置であって、さらに、
レーザ光を走査可能な作業領域の内で、前記加工条件設定部で設定された加工条件で加工しようとした際に加工できない又は加工不良となる加工不可能領域を、加工対象面の３次元形状及びレーザ光の出射位置に基づいて演算可能な加工不良領域検出手段と、
前記加工条件設定部で設定された加工内容の大きさを、前記加工イメージ表示部において２次元的及び／又は３次元的に表示する際に、前記加工不良領域検出手段で演算された加工不可能領域に加工内容が一部でも配置されている場合、前記加工イメージ表示部において加工内容を非表示とすることが可能な設定警告手段と、
を備えることを特徴とするレーザ加工装置。
【請求項９】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定装置であって、
所望の加工パターンに加工する加工条件として、加工対象面の３次元形状と加工パターンとを設定するための加工条件設定部と、
前記加工条件設定部で設定された加工条件に従って、加工対象面のレーザ加工データを生成する加工データ生成部と、
前記加工データ生成部で生成されたレーザ加工データのイメージを２次元的に表示可能な加工イメージ表示部と、
を備え、
作業領域内に配置された加工対象物の加工対象面を前記加工イメージ表示部で２次元的に表示させた状態で、前記加工条件設定部から加工対象面の３次元形状及び加工パターンを設定可能に構成してなることを特徴とするレーザ加工装置。
【請求項１０】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定方法であって、
作業領域内に配置された加工対象物の加工対象面を加工イメージ表示部で２次元的に表示させながら、所望の加工パターンに加工する加工条件として、加工対象面の３次元形状と加工パターンとを設定する工程と、
上記設定工程において必要に応じて、前記加工イメージ表示部で作業領域内の加工対象面を２次元的に表示させた状態で、同時に作業領域内の加工対象面の３次元表示画面を表示させ、あるいは前記加工イメージ表示部の２次元表示を３次元表示に切り替える工程と、
を含むことを特徴とするレーザ加工データ設定方法。
【請求項１１】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定プログラムであって、
作業領域内に配置された加工対象物の加工対象面を加工イメージ表示部で２次元的に表示させながら、所望の加工パターンに加工する加工条件として、加工対象面の３次元形状と加工パターンとを設定する機能と、
前記加工イメージ表示部で作業領域内の加工対象面を２次元的に表示させた状態で、同時に作業領域内の加工対象面の３次元表示画面を表示させ、あるいは前記加工イメージ表示部の２次元表示を３次元表示に切り替える機能と、
をコンピュータに実現させることを特徴とするレーザ加工データ設定プログラム。
【手続補正２】
【補正対象書類名】明細書
【補正対象項目名】発明の名称
【補正方法】変更
【補正の内容】
【発明の名称】レーザ加工装置、レーザ加工条件設定装置、レーザ加工条件設定方法、レーザ加工条件設定プログラム
【手続補正３】
【補正対象書類名】明細書
【補正対象項目名】００１８
【補正方法】変更
【補正の内容】
【００１８】
本発明の一実施形態に係るプログラムを格納したコンピュータで読み取り可能な記録媒体又は記録した機器は、上記プログラムを格納するものである。記録媒体には、ＣＤ−ＲＯＭ、ＣＤ−Ｒ、ＣＤ−ＲＷやフレキシブルディスク、磁気テープ、ＭＯ、ＤＶＤ−ＲＯＭ、ＤＶＤ−ＲＡＭ、ＤＶＤ−Ｒ、ＤＶＤ＋Ｒ、ＤＶＤ−ＲＷ、ＤＶＤ＋ＲＷ、Ｂｌｕ−ｒａｙ（登録商標）、ＨＤ
ＤＶＤ等の磁気ディスク、光ディスク、光磁気ディスク、半導体メモリその他のプログラムを格納可能な媒体が含まれる。またプログラムには、上記記録媒体に格納されて配布されるものの他、インターネット等のネットワーク回線を通じてダウンロードによって配布される形態のものも含まれる。さらに記録した機器には、上記プログラムがソフトウェアやファームウェア等の形態で実行可能な状態に実装された汎用もしくは専用機器を含む。さらにまたプログラムに含まれる各処理や機能は、コンピュータで実行可能なプログラムソフトウエアにより実行してもよいし、各部の処理を所定のゲートアレイ（ＦＰＧＡ、ＡＳＩＣ）等のハードウエア、又はプログラムソフトウエアとハードウェアの一部の要素を実現する部分的ハードウエアモジュールとが混在する形式で実現してもよい。
【手続補正４】
【補正対象書類名】明細書
【補正対象項目名】００１９
【補正方法】変更
【補正の内容】
【００１９】
第１、９〜１１発明によれば、３次元レーザ加工データを２次元的に設定することが可能となり、３次元的に表示させた状態での複雑な設定が不得手なユーザでも比較的容易に設定作業を行える。第２発明によれば、加工イメージ表示部を必要に応じて２次元表示と３次元表示とに切り替えできるので、設定作業に応じて確認作業を適切に行うことができる。第３発明によれば、２次元表示と３次元表示とを並べて表示できるので、設定作業時の確認をさらに容易に行える。第４発明によればレーザ光の照射位置を視点とする正面図を２次元表示できるので、加工パターンが変形されて表示される様子が確認でき、例えばバーコードを曲面に印字する場合はナロー幅の潰れ具合などを確認できる。第５発明によれば、加工イメージ表示部の３次元表示に際して速やかに所望の正面図に切り替えでき、視点の確認等に好適に利用できる。第６発明によれば、３次元レーザ加工データの編集ができない編集モードを設けることで、３次元レーザ加工データの編集が不得手なユーザであっても２次元編集のみ可能な編集モードにて操作できるよう構成している。第７発明によれば、起動時には操作が容易な２次元編集モードをデフォルトで設定することにより、３次元レーザ加工データの編集が不得手なユーザであっても戸惑うことなく操作できるよう構成している。第８発明によれば、加工条件を設定する段階で、加工内容が正しく加工可能な領域に配置されているかどうかを容易に確認することができる。これにより、従来は実際に加工を行う、あるいは加工条件を設定してデータをレーザ加工装置のコントローラ部に転送した後でなければ加工内容の配置が適切かどうかを確認できなかったことに比して、加工条件の設定段階で速やかに確認できるので、再設定の手間を省き、効率よく望ましい位置に加工内容を設定でき、使い勝手のよいレーザ加工データの設定環境が実現される。